(57)【要約】【課題】切り替え位置の画像が一画面での表示と同一となるようにする。【解決手段】ビデオ信号合成部は、入力画像Ａから、ワイプ位置ＷＰより前の主領域部分ＭＡ１、ワイプ位置ＷＰから第１の位置Ｐ１までの境界領域部分ＢＡ１を取り出し、入力画像Ｂｄから、第２の位置Ｐ２からワイプ位置ＷＰまでの境界領域部分ＢＡ２、ワイプ位置ＷＰより後の主領域部分ＭＡ２を取り出し、合成ビデオ信号を生成する（図４（ｆ））。合成ビデオ信号に対して、ＩＰ変換処理、高域補正処理を行う。ビデオ信号出力部は、処理後の合成ビデオ信号（図４（ｇ））から境界領域部分ＢＡ１，ＢＡ２を除去して出力ビデオ信号を得る（図４（ｋ））。ＩＰ変換処理、高域補正処理はワイプ位置ＷＰで画像が切断されていない状態で行われことから、画像の切り替え位置（ワイプ位置ＷＰ）で、一画面表示の場合と同じ画像が得られる。【選択図】図４
2008259083.tif 000002
【特許請求の範囲】
【請求項１】
画面を水平方向または垂直方向に２分する境界位置に対し、該境界位置より所定長だけ後の位置を第１の位置とし、該境界位置より所定長だけ前の位置を第２の位置とするとき、第１のビデオ信号から、上記画面の上記境界位置より前に対応した第１の主領域部分および上記画面の上記境界位置から上記第１の位置までに対応した第１の境界領域部分を取り出すと共に、上記第２のビデオ信号から、上記画面の上記第２の位置から上記境界位置までに対応した第２の境界領域部分および上記画面の上記境界位置より後に対応した第２の主領域部分を取り出して合成するビデオ信号合成部と、
上記ビデオ信号合成部から出力される合成ビデオ信号に対して所定の画像処理を行う画像処理部と、
上記画像処理部より出力される合成ビデオ信号から上記第１の境界領域部分および上記第２の境界領域部分を除去して出力ビデオ信号を得るビデオ信号出力部と
を備えることを特徴とするビデオ信号処理装置。  
【請求項２】
上記ビデオ信号合成部は、
上記第２のビデオ信号を、上記水平方向または上記垂直方向の所定数の画素に対応した第１の時間だけ遅延する第１の遅延回路と、
上記第１のビデオ信号に対して、上記境界位置より上記第１の時間の半分である第２の時間だけ後の位置を第１の基準位置とし、該第１の基準位置の前では一の状態となると共に、該第１の基準位置の後では他の状態となる第１の切り替え制御信号に基づいて、上記第１のビデオ信号または上記第１の遅延回路から出力される上記第２のビデオ信号を選択的に取り出す第１のセレクタとを有し、
上記第１のセレクタは、上記第１の切り替え制御信号が上記一の状態にあるとき上記第１のビデオ信号を取り出し、上記第１の切り替え制御信号が上記他の状態にあるとき上記第１の遅延回路から出力される上記第２のビデオ信号を取り出し、
上記ビデオ信号出力部は、
上記画像処理部から出力される上記合成ビデオ信号を、上記第１の時間だけ遅延する第２の遅延回路と、
上記画像処理部から出力される上記合成ビデオ信号に対して、上記第１のビデオ信号と上記第２のビデオ信号との切り替え位置より上記第２の時間だけ後の位置を第２の基準位置とし、該第２の基準位置の前では一の状態となると共に、該第２の基準位置の後では他の状態となる第２の切り替え制御信号に基づいて、上記画像処理部から出力される上記合成ビデオ信号または上記第２の遅延回路から出力される上記合成ビデオ信号を選択的に取り出す第２のセレクタとを有し、
上記第２のセレクタは、上記第２の切り替え制御信号が上記一の状態にあるとき上記第２の遅延回路から出力される上記合成ビデオ信号を取り出し、上記第２の切り替え制御信号が上記他の状態にあるとき上記画像処理部から出力される上記合成ビデオ信号を取り出す
ことを特徴とする請求項１に記載のビデオ信号処理装置。
【請求項３】
上記第１のビデオ信号および上記第２のビデオ信号はインターレース信号であり、
上記画像処理部は、インターレース信号をプログレッシブ信号に変換する変換回路を有する
ことを特徴とする請求項１に記載のビデオ信号処理装置。
【請求項４】
上記変換回路は、
上記インターレース信号に基づいて動画であるか静止画であるかを判定する動き判定部と、
上記動き判定部の判定結果に応じて、上記インターレース信号から補間信号を生成する補間信号生成部とを有する
ことを特徴とする請求項３に記載のビデオ信号処理装置。
【請求項５】
上記補間信号生成部は、上記動き判定部で動画であると判定されるとき、同一フィールド内の信号を用いて斜め補間または垂直補間により上記補間信号を生成する
ことを特徴とする請求項４に記載のビデオ信号処理装置。
【請求項６】
上記画像処理部は、ビデオ信号の高域成分を強調する高域補正回路を有する
ことを特徴とする請求項１に記載のビデオ信号処理装置。
【請求項７】
画面を水平方向または垂直方向に２分する境界位置に対し、該境界位置より所定長だけ後の位置を第１の位置とし、該境界位置より所定長だけ前の位置を第２の位置とするとき、第１のビデオ信号から、上記画面の上記境界位置より前に対応した第１の主領域部分および上記画面の上記境界位置から上記第１の位置までに対応した第１の境界領域部分を取り出すと共に、上記第２のビデオ信号から、上記画面の上記第２の位置から上記境界位置までに対応した第２の境界領域部分および上記画面の上記境界位置より後に対応した第２の主領域部分を取り出して合成するビデオ信号合成ステップと、
上記ビデオ信号合成ステップで得られる合成ビデオ信号に対して所定の画像処理を行う画像処理ステップと、
上記画像処理ステップで得られる合成ビデオ信号から上記第１の境界領域部分および上記第２の境界領域部分を除去して出力ビデオ信号を得るビデオ信号出力ステップと
を備えることを特徴とするビデオ信号処理方法。
【請求項８】
コンピュータを、
画面を水平方向または垂直方向に２分する境界位置に対し、該境界位置より所定長だけ後の位置を第１の位置とし、該境界位置より所定長だけ前の位置を第２の位置とするとき、第１のビデオ信号から、上記画面の上記境界位置より前に対応した第１の主領域部分および上記画面の上記境界位置から上記第１の位置までに対応した第１の境界領域部分を取り出すと共に、上記第２のビデオ信号から、上記画面の上記第２の位置から上記境界位置までに対応した第２の境界領域部分および上記画面の上記境界位置より後に対応した第２の主領域部分を取り出して合成するビデオ信号合成手段と、
上記ビデオ信号合成手段で得られる合成ビデオ信号に対して所定の画像処理を行う画像処理手段と、
上記画像処理手段で得られる合成ビデオ信号から上記第１の境界領域部分および上記第２の境界領域部分を除去して出力ビデオ信号を得るビデオ信号出力手段と
して機能させるためのプログラム。
【請求項９】
第１のビデオ信号と第２のビデオ信号とを合成するビデオ信号処理回路と、
上記ビデオ信号処理回路より出力されるビデオ信号に基づき、画面を水平方向または垂直方向に２分する境界位置に対して、該境界位置より前に上記第１のビデオ信号による画像を表示し、該境界位置より後に上記第２のビデオ信号による画像を表示する画像表示素子とを備え、
上記ビデオ信号処理回路は、
上記境界位置より所定長だけ後の位置を第１の位置とし、上記境界位置より所定長だけ前の位置を第２の位置とするとき、第１のビデオ信号から、上記画面の上記境界位置より前に対応した第１の主領域部分および上記画面の上記境界位置から上記第１の位置までに対応した第１の境界領域部分を取り出すと共に、上記第２のビデオ信号から、上記画面の上記第２の位置から上記境界位置までに対応した第２の境界領域部分および上記画面の上記境界位置より後に対応した第２の主領域部分を取り出して合成するビデオ信号合成部と、
上記ビデオ信号合成部より出力される合成ビデオ信号に対して所定の画像処理を行う画像処理部と、
上記画像処理部から出力される合成ビデオ信号から上記第１の境界領域部分および上記第２の境界領域部分を除去して出力ビデオ信号を得るビデオ信号出力部と
を備えることを特徴とする画像表示装置。
【発明の詳細な説明】
【技術分野】
【０００１】
この発明は、例えば、ディスプレイ画面にワイプ画像を表示する際に適用して好適なビデオ信号処理装置、ビデオ信号処理方法、プログラムおよび画像表示装置に関する。詳しくは、この発明は、第１、第２のビデオ信号から実際の画像表示に寄与する主領域部分の他に境界領域部分を取り出して合成ビデオ信号を生成し、当該合成ビデオ信号に対して所定の画像処理を行った後に境界領域部分を除去して出力ビデオ信号を得ることにより、画像の切り替え位置に隙間ができず、しかも当該切り替え位置の画像が一画面での表示と同一となるようにしたビデオ信号処理装置等に係るものである。
【背景技術】
【０００２】
従来、画像表示装置として、例えば、特許文献１等に記載されるように、ワイプ機能を持つものが知られている。図１１は、ワイプ動作の一例を示している。第１のビデオ信号により画像Ａが表示され、第２のビデオ信号により画像Ｂが表示されるものとする。画面を水平方向に２分するワイプ位置（境界位置）に対して、ワイプ位置より前には画像Ａが表示され、ワイプ位置より後には画像Ｂが表示される。ワイプ位置を左側から右側に移動させていくと、画像Ａの表示領域は大きくなっていくが、逆に画像Ｂの表示領域は小さくなっていく。
【０００３】
ワイプ動作中には、第１のビデオ信号および第２のビデオ信号が合成された合成ビデオ信号により画像が表示される。ここで、合成ビデオ信号のラインＮの信号に着目すると、当該ラインＮの信号はワイプ位置を境に第１のビデオ信号から第２のビデオ信号に切り替えられている。
【０００４】
ワイプ機能は、第１の画像信号から第２の画像信号に遷移する際の特殊効果として用いられる他に、第１、第２の画像信号による２つの画像の違いを観測する際にも用いられる。例えば、第１の圧縮方式に係る圧縮伸長を経た第１のビデオ信号による画像と、第２の圧縮方式に係る圧縮伸長を経た第２のビデオ信号による画像とを同一画面に表示し、ワイプ位置を変化させて各部の違いを観測し、第１、第２の圧縮方式の性能を見極め、圧縮パラメータを調整すること等が行われる。このように第１、第２の画像信号による２つの画像の違いを観測する際には、２つの画像の切り替え位置に隙間ができないようにされる。
【０００５】
図１２は、従来のワイプ機能を持つ画像表示装置２００の一例を示している。この画像表示装置２００は、セレクタ２０１と、ＩＰ変換回路２０２と、高域補正回路２０３と、ＬＣＤ(Liquid Crystal Display)２０４とを有している。
【０００６】
セレクタ２０１には、第１のビデオ信号Ｓａおよび第２のビデオ信号Ｓｂが互いに同期した状態で入力される。ビデオ信号Ｓａ，Ｓｂは、いずれも、インターレース信号である。また、セレクタ２０１には、ワイプ切り替え制御信号ＷＳが供給される。このワイプ切り替え制御信号ＷＳは、画面を水平方向に２分するワイプ位置（境界位置）ＷＰの前では一の状態、例えば「０」となり、当該ワイプ位置ＷＰの後では他の状態、例えば「１」となる。
【０００７】
セレクタ２０１は、ワイプ切り替え制御信号ＷＳに基づいて、ビデオ信号Ｓａまたはビデオ信号Ｓｂを選択的に取り出して、合成ビデオ信号を生成する。すなわち、セレクタ２０１は、ワイプ切り替え制御信号ＷＳが一の状態にあるときはビデオ信号Ｓａを取り出し、一方ワイプ切り替え制御信号ＷＳが他の状態にあるときはビデオ信号Ｓｂを取り出す。
【０００８】
ＩＰ変換回路２０２は、セレクタ２０１で得られる合成ビデオ信号を、インターレース信号からプログレッシブ信号に変換する。図１３は、ＩＰ変換回路２０２の構成例を示している。このＩＰ変換回路２０２は、補間信号生成回路２２１と、Ｎフィールドメモリ２２２と、動き判定回路２２３と、補間画素選択回路２２４とにより構成されている。
【０００９】
補間信号生成回路２２１には、インターレース信号Ｓintが入力される。この補間信号生成回路２２１は、動画用の補間信号（補間ラインの信号）を、現フィールドの信号から生成する。この補間信号生成回路２２１は、斜め補間、あるいは垂直補間により、補間ラインの信号を構成する各補間画素の信号を生成する。斜め補間処理では、補間画素の近傍の画素情報を利用して斜め方向の相関を検出し、ある角度の斜め方向に相関があると判定した場合、その斜め方向にある上下の画素の信号を平均して補間画素の信号を生成する。また、垂直補間処理では、補間画素の上下の画素の信号を平均して補間画素の信号を生成する。
【００１０】
Ｎフィールドメモリ２２２には、インターレース信号Ｓintが入力される。このＮフィールドメモリ２２２は、現フィールドより前のＮ個のフィールドの信号を格納して保持する。
【００１１】
動き判定回路２２３には、インターレース信号Ｓint（現フィールドの信号）が入力されると共に、Ｎフィールドメモリ２２２から過去のフィールドの信号が入力される。動き判定回路２２３は、現フィールドの信号および過去のフィールドの信号を用いて、画素単位で、動画であるか静止画であるかを判定する。
【００１２】
補間画素選択回路２２４は、インターレース信号Ｓint（現フィールドの信号）、Ｎフィールドメモリ２２２から出力される１フィールド前の信号、補間信号生成回路２２１で生成された補間ラインの信号に基づいて、プログレッシブ信号Ｓprgを生成して出力する。この場合、補間画素選択回路２２４は、プログレッシブ信号Ｓprgのうち、インターレース信号Ｓint（現フィールドの信号）の各ラインに対応したラインの信号として、当該インターレース信号Ｓintの各ラインの信号をそのまま出力する。また、補間画素選択回路２２４は、補間ラインの信号として、動き判定回路２２３で動画であると判定されたときは補間信号生成回路２２１で生成された信号を出力し、動き判定回路２２３で静止画であると判定されたときは、１フィールド前の信号を出力する。
【００１３】
図１４は、インターレース信号Ｓintと、斜め補間によるプログレッシブ信号Ｓprgおよび垂直補間によるプログレッシブ信号Ｓprgの一例を示している。図１４（ａ）に示すインターレース信号Ｓintに対して、斜め補間により補間信号が生成されたプログレッシブ信号Ｓprgは図１４（ｂ）に示すようになる。斜め補間では、上述したようにある角度の斜め方向に相関があると判定した場合、その斜め方向にある上下の画素の信号を平均して補間画素の信号を生成することから、斜め線がスムーズに補間される。
【００１４】
これに対して、図１４（ａ）に示すインターレース信号Ｓintに対して、垂直補間により補間信号が生成されたプログレッシブ信号Ｓprgは図１４（ｃ）に示すようになる。垂直補間では、上述したように補間画素の上下の画素の信号を平均して補間画素の信号を生成することから、斜め線が階段状にボケたものとなる。このことから、多くの固定画素表示装置においては、斜め補間による補間が行われている。
【００１５】
図１５は、動き判定回路２２３における動き判定（動画判定の場合）と、その場合に生成されるプログレッシブ信号Ｓprgの一例を示している。動き判定回路２２３は、図１５（ａ）に示すように、Ｎフィールド（現フィールド）とＮ−２フィールドの信号が同一でないこと等から動画と判定する。この場合、プログレッシブ信号Ｓprgの補間信号は、Ｎフィールド（現フィールド）の信号を用いて生成される。図１５（ｂ）は、斜め補間により補間信号が生成された場合のプログレッシブ信号Ｓprgを示し、図１５（ｃ）は、垂直補間により補間信号が生成された場合のプログレッシブ信号Ｓprgを示している。
【００１６】
図１６は、動き判定回路２２３における動き判定（静止画判定の場合）と、その場合に生成されるプログレッシブ信号Ｓprgの一例を示している。動き判定回路２２３は、図１６（ａ）に示すように、Ｎフィールド（現フィールド）とＮ−２フィールドの信号が同一であること等から静止画と判定する。この場合、プログレッシブ信号Ｓprgの補間信号として、Ｎ−１フィールドの信号がそのまま使用される。図１６（ｂ）は、静止画と判定された場合におけるプログレッシブ信号Ｓprgを示している。
【００１７】
図１２に戻って、高域補正回路２０３は、ＩＰ変換回路２０２から出力される合成ビデオ信号（プログレッシブ信号）の高域成分を強調する。図１７は、高域補正回路２０３の構成例を示している。この高域補正回路２０３は、垂直ハイパスフィルタ（垂直ＨＰＦ）２３１と、ゲイン調整部２３２と、水平ハイパスフィルタ（水平ＨＰＦ）２３３と、ゲイン調整部２３４と、加算器２３５とを有している。
【００１８】
垂直ＨＰＦ２３１は、入力信号Ｓinから垂直方向の高域成分を抽出する。図１８は、垂直ＨＰＦ２３１の周波数特性の一例を示している。図１８において、横軸は空間周波数であり、縦軸は振幅を示している。Ｆｓは垂直方向のサンプリング周波数である。ゲイン調整部２３２は、垂直ＨＰＦ２３１で抽出された垂直方向の高域成分のゲインを調整する。また、水平ＨＰＦ２３３は、入力信号Ｓinから水平方向の高域成分を抽出する。この水平ＨＰＦ２３３の周波数特性も、例えば図１８に示すような周波数特性と同様とされる。ただし、この場合、Ｆｓは水平方向のサンプリング周波数である。ゲイン調整部２３４は、水平ＨＰＦ２３３で抽出された水平方向の高域成分のゲインを調整する。加算器２３５は、入力信号Ｓinに、ゲイン調整部２３２でゲイン調整された垂直方向の高域成分および、ゲイン調整部２３４でゲイン調整された水平方向の高域成分を加算し、高域成分が強調された出力信号Ｓoutを出力する。
【００１９】
図１２に戻って、ＬＣＤ２０４は、固定画素表示素子を構成している。このＬＣＤ２０４は、高域補正回路２０３から出力される合成ビデオ信号による画像を表示する。なお、このＬＣＤ２０４の代わりに、ＰＤＰ(Plasma Display Panel)等の固定画素表示素子が用いられることもある。
【００２０】
図１２に示す画像表示装置２００の動作におけるワイプ動作を説明する。
【００２１】
インターレース信号である第１のビデオ信号Ｓａおよびこの第１のビデオ信号Ｓａと同期したインターレース信号である第２のビデオ信号Ｓｂは、セレクタ２０１に供給される。図１９（ａ）は第１のビデオ信号Ｓａにより画面上に表示される画像（入力画像Ａ）を示し、図１９（ｂ）は第２のビデオ信号Ｓｂにより画面上に表示される画像（入力画像Ｂ）を示している。
【００２２】
また、セレクタ２０１には、ワイプ切り替え制御信号ＷＳが供給される。このワイプ切り替え制御信号ＷＳは、図１９（ｃ）に示すように、ワイプ位置ＷＰの前では一の状態、例えば「０」となっており、当該ワイプ位置ＷＰの後では他の状態、例えば「１」となっている。セレクタ２０１では、ワイプ切り替え制御信号ＷＳが一の状態にあるときはビデオ信号Ｓａが取り出され、一方ワイプ切り替え制御信号ＷＳが他の状態にあるときはビデオ信号Ｓｂが取り出される。つまり、セレクタ２０１からは、ビデオ信号Ｓａ，Ｓｂがワイプ位置ＷＰに対応して切り替えられた合成ビデオ信号が出力される。図１９（ｄ）は、この合成ビデオ信号により画面上に表示される画像（合成画像）を示している。
【００２３】
セレクタ２０１から出力される合成ビデオ信号（インターレース信号）は、ＩＰ変換回路２０２に供給され、インターレース信号からプログレッシブ信号に変換される。また、ＩＰ変換回路２０２から出力される合成ビデオ信号（プログレッシブ信号）は、高域補正回路２０３に供給され、その高域成分が強調される。そして、この高域補正回路２０３から出力される合成ビデオ信号は、ＬＣＤ２０４に供給される。図１９（ｅ）は、ＬＣＤ２０４の画面に表示される画像（出力画像）を示している。すなわち、ＬＣＤ２０４の画面には、ワイプ位置ＷＰより前には第１のビデオ信号Ｓａによる画像が表示され、ワイプ位置ＷＰより後には第２のビデオ信号Ｓｂによる画像が表示される。ワイプ位置ＷＰを左側から右側に移動させていくと、つまり、ワイプ切り替え制御信号ＷＳの「０」から「１」への変化位置を遅らせていくと、第１のビデオ信号Ｓａによる画像の表示領域は大きくなっていくが、第２のビデオ信号Ｓｂによる画像の表示領域が小さくなっていく。
【特許文献１】特開平１−２５１１８５号公報
【発明の開示】
【発明が解決しようとする課題】
【００２４】
図１２に示す画像表示装置２００においては、セレクタ２０１において第１のビデオ信号Ｓａまたは第２のビデオ信号Ｓｂがワイプ切り替え制御信号ＷＳに基づいて選択的に取り出されて合成ビデオ信号が生成されるものであり、画像の切り替え位置に隙間ができないようになされている。
【００２５】
しかし、当該セレクタ２０１から出力される合成ビデオ信号（インターレース信号）に対して、ＩＰ変換回路２０２でインターレース信号からプログレッシブ信号に変換するＩＰ変換処理が行われ、さらに、高域補正回路２０３で高域成分の強調が行われるようになっている。そのため、以下に述べる問題点により、切り替え位置の画像が一画面での表示とは異なるものとなっていた。
【００２６】
Ａ．「ＩＰ変換回路による問題点」
【００２７】
ＩＰ変換回路２０２では、上述したように、動き判定回路２２３において、現フィールドの信号および過去のフィールドの信号を用いて、画素単位で、動画であるか静止画であるかが判定される。そして、ＩＰ変換回路２０２では、上述したように、動き判定回路２２３で動画であると判定されたとき、補間信号生成回路２２１で斜め補間、あるいは垂直補間により生成された補間信号が使用される。ＩＰ変換回路２０２による問題点としては、（１）斜め補間による問題点と、（２）動き判定による問題点、とがある。
【００２８】
まず、（１）斜め補間による問題点について説明する。この斜め補間による問題点を、図２０を用いて説明する。
【００２９】
図２０（ａ）は、第１のビデオ信号Ｓａ（インターレース信号）による合成前の左側画像、およびそのワイプ位置ＷＰの部分（破線で囲まれた範囲）を拡大して示したものである。また、図２０（ｂ）は、第２のビデオ信号Ｓｂ（インターレース信号）による合成前の右側画像、およびそのワイプ位置ＷＰの部分（破線で囲まれた範囲）を拡大して示したものである。左側画像は斜め線が描画された画像であり、右側画像はフラットな画像である。ワイプ位置ＷＰは、画面の水平方向の中心にあるものとする。なお、拡大図で示される各画素の状態は、当該各画素の信号（インターレース信号）に対応している。これは、以下の対応する図においても同様である。
【００３０】
図２０（ｃ）は、セレクタ２０１から出力される合成ビデオ信号（インターレース信号）による合成画像、およびそのワイプ位置ＷＰの部分（破線で囲まれた範囲）を拡大して示したものである。この合成画像は、ワイプ位置ＷＰが画像切り替え位置となり、ワイプ位置ＷＰより前（左側）に左側画像が表示され、一方ワイプ位置ＷＰより後（右側）に右側画像が表示されたものとなっている。
【００３１】
図２０（ｃ）に示す合成画像（合成ビデオ信号）に対して、斜め補間が行われる場合を考える。斜め補間の場合、上述したように、斜め方向の相関性を判定し、ある角度の斜め方向に相関があると判定した場合、その斜め方向にある上下の画素の信号を平均して補間画素の信号を生成するものである。斜め線がワイプ位置ＷＰで切断された場合、当該斜め線の切断位置に関しては斜め方向の相関がなくなる。そのため、当該斜め線の切断位置に関しては、図２０（ｄ）に示すように、垂直補間によって補間画素の信号が生成されることとなる。
【００３２】
例えば、左側画像の一画面表示の場合には、上述の図１４（ｂ）に示すように、斜め補間によりスムーズな補間が行われる。したがって、ワイプ動作時と一画面表示時とは、画像の切り替え位置（ワイプ位置ＷＰ）において、画像が異なって観測されることになる。
【００３３】
このように、図１２に示す画像表示装置２００では、上述の斜め補間による問題点があることから、ワイプ動作では、画像の切り替え位置（ワイプ位置ＷＰ）で正確な画像が表示されず、正確な比較を行うことができないという不都合があった。
【００３４】
次に、（２）動き判定による問題点について説明する。この動き判定による問題点を、図２１を用いて説明する。
【００３５】
図２１（ａ）は、第１のビデオ信号Ｓａ（インターレース信号）のワイプ位置ＷＰの部分を拡大して示したものである。また、図２１（ｂ）は、第２のビデオ信号Ｓｂ（インターレース信号）による合成前の右側画像のワイプ位置ＷＰの部分を拡大して示したものである。左側画像は、斜め線が描画された画像であり、動画判定が行われるものとする。これに対して、右側画像は、斜め線が描画された画像であり、静止画判定が行われるものとする。
【００３６】
図２１（ｃ）は、セレクタ２０１から出力される合成ビデオ信号（インターレース信号）による合成画像のワイプ位置ＷＰの部分を拡大して示したものである。この合成画像は、ワイプ位置ＷＰが画像切り替え位置となり、ワイプ位置ＷＰより前（左側）に左側画像が表示され、一方ワイプ位置ＷＰより後（右側）に右側画像が表示されたものとなっている。
【００３７】
通常、動き判定を行う際には、視覚的に安定した補間結果を得ることを目的とし、対象画素の動き判定結果が、その画素の周辺の動き判定結果と異なる場合には、その周辺の画素の判定結果の情報を含めて動き判定が行われる。そのため、図２１（ｃ）に示す合成画像の場合、ワイプ位置ＷＰの左側では動画、その右側では静止画の状態で動き判定が行われ、動き判定結果では、図２１（ｃ）に動画判定領域をハッチングして示すように、ワイプ位置ＷＰを跨いで静止画部分の一部領域まで動画となる。
【００３８】
そのため、ＩＰ変換回路２０２の補間信号生成回路２２１が斜め補間により補間信号を生成する場合、ＩＰ変換後の画像は、図２１（ｄ）に示すように、図２１（ｅ）に示す期待される結果とは異なったものとなり、ワイプ動作時と一画面表示時とは、画像の切り替え位置（ワイプ位置ＷＰ）において、画像が異なって観測されることになる。
【００３９】
また、同様に、ＩＰ変換回路２０２の補間信号生成回路２２１が垂直補間により補間信号を生成する場合、ＩＰ変換後の画像は、図２１（ｆ）に示すように、図２１（ｇ）に示す期待される結果とは異なったものとなり、ワイプ動作時と一画面表示時とは、画像の切り替え位置（ワイプ位置ＷＰ）において、画像が異なって観測されることになる。
【００４０】
このように、図１２に示す画像表示装置２００では、上述の動き判定による問題点があることから、ワイプ動作では、画像の切り替え位置（ワイプ位置ＷＰ）で正確な画像が表示されず、正確な比較を行うことができないという不都合があった。
【００４１】
Ｂ．「高域補正回路による問題点」
【００４２】
高域補正回路２０３では、上述したように、ＩＰ変換回路２０２から出力される合成ビデオ信号（プログレッシブ信号）の高域成分が強調される。図２２は、高域補正回路２０３から出力される合成ビデオ信号におけるラインＮの波形例を示している。このようにラインＮの波形は、ワイプ位置ＷＰで急激に変化するために、図示のように、当該ワイプ位置ＷＰに対応してリンギングが発生する。このリンギングは、合成前のビデオ信号には存在しない成分であり、ワイプ動作時と一画面表示時とは、画像の切り替え位置（ワイプ位置ＷＰ）において、画像が異なって観測されることになる。
【００４３】
このように、図１２に示す画像表示装置２００では、上述の高域補正回路２０３による問題点があることから、ワイプ動作では、画像の切り替え位置（ワイプ位置ＷＰ）で正確な画像が表示されず、正確な比較を行うことができないという不都合があった。
【００４４】
この発明の目的は、画像の切り替え位置に隙間ができず、しかも当該切り替え位置の画像が一画面での表示と同一となるようにすることにある。
【課題を解決するための手段】
【００４５】
この発明の概念は、
画面を水平方向または垂直方向に２分する境界位置に対し、該境界位置より所定長だけ後の位置を第１の位置とし、該境界位置より所定長だけ前の位置を第２の位置とするとき、第１のビデオ信号から、上記画面の上記境界位置より前に対応した第１の主領域部分および上記画面の上記境界位置から上記第１の位置までに対応した第１の境界領域部分を取り出すと共に、上記第２のビデオ信号から、上記画面の上記第２の位置から上記境界位置までに対応した第２の境界領域部分および上記画面の上記境界位置より後に対応した第２の主領域部分を取り出して合成するビデオ信号合成部と、
上記ビデオ信号合成部から出力される合成ビデオ信号に対して所定の画像処理を行う画像処理部と、
上記画像処理部より出力される合成ビデオ信号から上記第１の境界領域部分および上記第２の境界領域部分を除去して出力ビデオ信号を得るビデオ信号出力部と
を備えることを特徴とするビデオ信号処理装置にある。
【００４６】
この発明において、ビデオ信号合成部では、画面を水平方向または垂直方向に２分する境界位置に対し、この境界位置より所定長だけ後にある第１の位置と、この境界位置より所定長だけ前にある第２の位置とが設定される。ここで、境界位置は、例えばワイプ動作が行われる場合には、画像の切り替え位置であるワイプ位置に対応する。そして、ビデオ信号合成部では、第１のビデオ信号から、画面の境界位置より前に対応した第１の主領域部分およびその境界位置から第１の位置までに対応した第１の境界領域部分が取り出される共に、第２のビデオ信号から、画面の第２の位置から境界位置までに対応した第２の境界領域部分およびその境界位置より後に対応した第２の主領域部分が取り出されて、合成ビデオ信号が生成される。
【００４７】
このビデオ信号合成部は、例えば、第２のビデオ信号を、水平方向または上記垂直方向の所定数の画素に対応した第１の時間だけ遅延する第１の遅延回路と、第１のビデオ信号に対して、境界位置より第１の時間の半分である第２の時間だけ後の位置を第１の基準位置とし、第１の基準位置の前では一の状態となると共に、第１の基準位置の後では他の状態となる第１の切り替え制御信号に基づいて、第１のビデオ信号または第１の遅延回路から出力される第２のビデオ信号を選択的に取り出す第１のセレクタとを有し、第１のセレクタは、第１の切り替え制御信号が一の状態にあるとき第１のビデオ信号を取り出し、第１の切り替え制御信号が他の状態にあるとき第１の遅延回路から出力される第２のビデオ信号を取り出すようにされてもよい。
【００４８】
画像処理部では、ビデオ信号合成部から出力される合成ビデオ信号に対して、所定の画像処理が行われる。ここで、所定の画像処理とは、例えば、合成ビデオ信号の切り替え位置における処理結果が、ビデオ信号の切り替えを行わなかった場合の処理結果とは異なる状態となるような画像処理である。
【００４９】
例えば、第１、第２のビデオ信号がインターレース信号である場合、画像処理部は、インターレース信号をプログレッシブ信号に変換する変換回路を有するものとされる。なお、この変換回路は、例えば、インターレース信号に基づいて動画であるか静止画であるかを判定する動き判定部と、この動き判定部の判定結果に応じて、インターレース信号から補間信号を生成する補間信号生成部とを有するものである。補間信号生成部では、例えば、動き判定部で動画であると判定されるとき、同一フィールド内の信号を用いて斜め補間または垂直補間により補間信号が生成される。また、例えば、画像処理部は、ビデオ信号の高域成分を強調する高域補正回路を有するものである。
【００５０】
ビデオ信号出力部では、画像処理部から出力される合成ビデオ信号から第１の境界領域部分および第２の境界領域部分が除去されて出力ビデオ信号が得られる。
【００５１】
このビデオ信号出力部は、例えば、画像処理部から出力される合成ビデオ信号を、第１の時間だけ遅延する第２の遅延回路と、画像処理部から出力される合成ビデオ信号に対して、第１のビデオ信号と第２のビデオ信号との切り替え位置より第２の時間だけ後の位置を第２の基準位置とし、第２の基準位置の前では一の状態となると共に、第２の基準位置の後では他の状態となる第２の切り替え制御信号に基づいて、画像処理部から出力される合成ビデオ信号または第２の遅延回路から出力される合成ビデオ信号を選択的に取り出す第２のセレクタとを有し、第２のセレクタは、第２の切り替え制御信号が一の状態にあるとき第２の遅延回路から出力される合成ビデオ信号を取り出し、第２の切り替え制御信号が他の状態にあるとき画像処理回路より出力される合成ビデオ信号を取り出すようにされてもよい。
【００５２】
ビデオ信号出力部で得られる出力ビデオ信号は、例えば、ＬＣＤ,ＰＤＰ等の画像表示素子に供給される。この画像表示素子には、画面を水平方向または垂直方向に２分する境界位置に対して、この境界位置より前に第１のビデオ信号による画像が表示され、この境界位置より後に第２のビデオ信号による画像が表示される。
【００５３】
このようにこの発明においては、第１、第２のビデオ信号から実際の画像表示に寄与する主領域部分（第１、第２の主領域部分）の他に境界領域部分（第１、第２の境界領域部分）が取り出されて合成ビデオ信号が生成され、この合成ビデオ信号に対して所定の画像処理が行われた後に境界領域部分が除去されて出力ビデオ信号が得られるものであり、画像の切り替え位置に隙間ができず、しかも当該切り替え位置の画像が一画面での表示と同一とされる。これにより、例えば、ワイプ動作では、画像の切り替え位置（ワイプ位置ＷＰ）で正確な画像が表示され、２つの画像の正確な比較を行うことが可能となる。
【発明の効果】
【００５４】
この発明によれば、第１、第２のビデオ信号から実際の画像表示に寄与する主領域部分の他に境界領域部分を取り出して合成ビデオ信号を生成し、当該合成ビデオ信号に対して所定の画像処理を行った後に境界領域部分を除去して出力ビデオ信号を得るものであり、画像の切り替え位置に隙間ができず、しかも当該切り替え位置の画像を一画面での表示と同一とできる。
【発明を実施するための最良の形態】
【００５５】
以下、図面を参照しながら、この発明の実施の形態について説明する。図１は、実施の形態としての画像表示装置１００の構成例を示している。この画像表示装置１００は、セレクタ１０１と、遅延回路１０２，１０３と、ＩＰ変換回路１０４と、高域補正回路１０５と、セレクタ１０６と、遅延回路１０７，１０８と、ＬＣＤ(Liquid Crystal Display)１０９とを有している。
【００５６】
セレクタ１０１には、第１のビデオ信号Ｓａが入力される。遅延回路１０２は、水平方向の所定数の画素（ピクセル）、例えば５画素に対応した時間をＤＴとして、２×ＤＴの遅延時間を持っている。ここで、２×ＤＴは、第１の遅延時間を構成している。セレクタ１０１には、上述の第１のビデオ信号Ｓａと同期した第２のビデオ信号Ｓｂが、遅延回路１０２で２×ＤＴだけ遅延されて入力される。この遅延回路１０２は、第１の遅延回路を構成している。
【００５７】
遅延回路１０３は、ＤＴの遅延時間を持っている。ここで、ＤＴは、第２の遅延時間を構成している。セレクタ１０１には、ワイプ切り替え制御信号ＷＳ１が遅延回路１０３でＤＴだけ遅延されてなる切り替え制御信号ＷＳ１ｄが供給される。ワイプ切り替え制御信号ＷＳ１は、第１のビデオ信号Ｓａに対して、画面を水平方向に２分するワイプ位置（境界位置）ＷＰの前では一の状態、例えば「０」となり、当該ワイプ位置ＷＰの後では他の状態、例えば「１」となる。
【００５８】
切り替え制御信号ＷＳ１ｄは、第１の切り替え制御信号を構成している。この切り替え制御信号ＷＳ１ｄは、第１のビデオ信号Ｓａに対して、ワイプ位置ＷＰよりＤＴだけ後の位置を第１の基準位置とするとき、この第１の基準位置の前では一の状態、例えば「０」となり、当該第１の基準位置の後では他の状態、例えば「１」となる。
【００５９】
セレクタ１０１は、切り替え制御信号ＷＳ１ｄに基づいて、ビデオ信号Ｓａまたはビデオ信号Ｓｂを選択的に取り出して、合成ビデオ信号を生成する。すなわち、セレクタ１０１は、切り替え制御信号ＷＳ１ｄが一の状態にあるときはビデオ信号Ｓａを取り出し、一方切り替え制御信号ＷＳ１ｄが他の状態にあるときは遅延回路１０２からのビデオ信号Ｓｂを取り出す。
【００６０】
ここで、セレクタ１０１、遅延回路１０２および遅延回路１０３は、ビデオ信号合成部を構成している。図２（ａ）に示すように、画面を水平方向に２分するワイプ位置（境界位置）ＷＰに対し、このワイプ位置ＷＰより所定長、この実施の形態では５画素（ピクセル）だけ後の位置を第１の位置Ｐ１とし、このワイプ位置ＷＰより所定長、この実施の形態では５画素（ピクセル）だけ前の位置を第２の位置Ｐ２とする。
【００６１】
ビデオ信号合成部は、第１のビデオ信号Ｓａから、図２（ｂ）に示すように、画面のワイプ位置ＷＰより前に対応した第１の主領域部分ＭＡ１、およびそのワイプ位置ＷＰから第１の位置Ｐ１までに対応した第１の境界領域部分ＢＡ１を取り出す。また、ビデオ信号合成部は、第２のビデオ信号Ｓｂから、図２（ｃ）に示すように、画面の第２の位置Ｐ２からワイプ位置ＷＰまでに対応した第２の境界領域部分ＢＡ２、およびそのワイプ位置ＷＰより後に対応した第２の主領域部分ＭＡ２を取り出す。そして、ビデオ信号合成部は、図２（ｄ）に示すように、第１のビデオ信号Ｓａから取り出した第１の主領域部分ＭＡ１および第１の境界領域部分ＢＡ１と、第２のビデオ信号Ｓｂから取り出した第２の境界領域部分ＢＡ２および第２の主領域部分ＭＡ２を合成して、合成ビデオ信号を生成する。
【００６２】
ＩＰ変換回路１０４は、セレクタ１０１で得られる合成ビデオ信号を、インターレース信号からプログレッシブ信号に変換する。このＩＰ変換回路１０４は、詳細説明は省略するが、上述の図１２に示す画像表示装置２００におけるＩＰ変換回路２０２と同様に構成されている（図１３参照）。このＩＰ変換回路２０２は、セレクタ１０１から出力される合成ビデオ信号（インターレース信号）に基づいて、動画であるか静止画であるかを画素単位で判定する動き判定部を有しており、この動き判定部の判定結果に応じて、補間信号生成部により、斜め補間または垂直補間で補間信号（補間ラインの信号）を生成する。
【００６３】
高域補正回路１０５は、ＩＰ変換回路１０４から出力される合成ビデオ信号（プログレッシブ信号）の高域成分を強調する。この高域補正回路１０５は、詳細説明は省略するが、上述の図１２に示す画像表示装置２００における高域補正回路２０３と同様に構成されている（図１７参照）。
【００６４】
セレクタ１０６には、高域補正回路１０５から出力される合成ビデオ信号（プログレッシブ信号）が入力される。遅延回路１０７は、２×ＤＴの遅延時間を持っている。セレクタ１０６には、高域補正回路１０５から出力される合成ビデオ信号（プログレッシブ信号）が、遅延回路１０７で２×ＤＴだけ遅延されて入力される。この遅延回路１０７は、第２の遅延回路を構成している。
【００６５】
遅延回路１０８は、ＤＴの遅延時間を持っている。セレクタ１０６には、ワイプ切り替え制御信号ＷＳ２が遅延回路１０８でＤＴだけ遅延されてなる切り替え制御信号ＷＳ２ｄが供給される。ワイプ切り替え制御信号ＷＳ２は、高域補正回路１０５より出力される合成ビデオ信号に対して、第１のビデオ信号Ｓａと第２のビデオ信号Ｓｂの切り替え位置の前では一の状態、例えば「０」となり、当該切り替え位置の後では他の状態、例えば「１」となる。
【００６６】
切り替え制御信号ＷＳ２ｄは、第２の切り替え制御信号を構成している。この切り替え制御信号ＷＳ２ｄは、高域補正回路１０５より出力される合成ビデオ信号に対して、上述のビデオ信号Ｓａ，Ｓｂの切り替え位置よりＤＴだけ後の位置を第２の基準位置とするとき、この第２の基準位置の前では一の状態、例えば「０」となり、当該第２の基準位置の後では他の状態、例えば「１」となる。
【００６７】
セレクタ１０６は、切り替え制御信号ＷＳ２ｄに基づいて、高域補正回路１０５から出力される合成ビデオ信号または遅延回路１０７から出力される合成ビデオ信号を選択的に取り出す。すなわち、セレクタ１０６は、切り替え制御信号ＷＳ２ｄが一の状態にあるときは遅延回路１０７から出力される合成ビデオ信号を取り出し、一方切り替え制御信号ＷＳ２ｄが他の状態にあるときは高域補正回路１０５から出力される合成ビデオ信号を取り出す。
【００６８】
ここで、セレクタ１０６、遅延回路１０７および遅延回路１０８は、ビデオ信号出力部を構成している。高域補正回路１０５から出力される合成ビデオ信号は、図３（ａ）に示すように、第１のビデオ信号Ｓａから取り出した第１の主領域部分ＭＡ１および第１の境界領域部分ＢＡ１と、第２のビデオ信号Ｓｂから取り出した第２の境界領域部分ＢＡ２および第２の主領域部分ＭＡ２を合成したものとなっている（図２（ｄ）参照）。ビデオ信号出力部は、図３（ｂ）に示すように、高域補正回路１０５から出力される合成ビデオ信号から第１の境界領域部分ＢＡ１および第２の境界領域部ＢＡ２を除去して、言い換えると高域補正回路１０５から出力される合成ビデオ信号から第１の主領域部分ＭＡ１および第２の主領域部分ＭＡ２を取り出して、出力ビデオ信号を得る。
【００６９】
ＬＣＤ１０９は、画像表示素子を構成している。このＬＣＤ１０９は、セレクタ１０６から出力される出力ビデオ信号（合成ビデオ信号）による画像を表示する。なお、このＬＣＤ１０９の代わりに、ＰＤＰ等の画像表示素子が用いられる構成であってもよい。
【００７０】
図１に示す画像表示装置１００の動作におけるワイプ動作を説明する。
【００７１】
インターレース信号である第１のビデオ信号Ｓａがセレクタ１０１に供給されると共に、この第１のビデオ信号Ｓａと同期したインターレース信号である第２のビデオ信号Ｓｂは遅延回路１０２で２×ＤＴだけ遅延されてセレクタ１０１に供給される。図４（ａ）は第１のビデオ信号Ｓａにより画面上に表示される画像（入力画像Ａ）を示し、図４（ｂ）は第２のビデオ信号Ｓｂにより画面上に表示される画像（入力画像Ｂ）を示し、さらに、図４（ｃ）は２×ＤＴだけ遅延された第２のビデオ信号Ｓｂにより画面上に表示される画像（入力画像Ｂｄ）を示している。
【００７２】
また、ワイプ切り替え制御信号ＷＳ１が遅延時間ＤＴを持つ遅延回路１０３に供給され、この遅延回路１０３から出力される切り替え制御信号ＷＳ１ｄがセレクタ１０１に供給される。このワイプ切り替え制御信号ＷＳ１は、図４（ｄ）に示すように、第１のビデオ信号Ｓａ（図４（ａ）の入力画像Ａ参照）に対して、ワイプ位置ＷＰの前では一の状態、例えば「０」となっており、当該ワイプ位置ＷＰの後では他の状態、例えば「１」となっている。そして、切り替え制御信号ＷＳ１ｄは、図４（ｅ）に示すように、第１のビデオ信号Ｓａ（図４（ａ）の入力画像Ａ参照）に対して、ワイプ位置ＷＰよりＤＴだけ後の位置を第１の基準位置とするとき、この第１の基準位置の前では一の状態、例えば「０」となっており、当該第１の基準位置の後では他の状態、例えば「１」となっている。
【００７３】
セレクタ１０１では、切り替え制御信号ＷＳ１ｄが一の状態にあるときはビデオ信号Ｓａ（図４（ａ）参照）が取り出され、一方切り替え制御信号ＷＳ１ｄが他の状態にあるときは遅延回路１０２から出力されるビデオ信号Ｓｂ（図４（ｃ）参照）が取り出されて、合成ビデオ信号が生成される。図４（ｆ）は、セレクタ１０１で生成される合成ビデオ信号により画面上に表示される画像（合成画像）を示している。
【００７４】
図４（ｆ）に示すように、セレクタ１０１で得られる合成ビデオ信号は、第１のビデオ信号Ｓａから取り出した第１の主領域部分ＭＡ１および第１の境界領域部分ＢＡ１と、第２のビデオ信号Ｓｂから取り出した第２の境界領域部分ＢＡ２および第２の主領域部分ＭＡ２が合成されたものとなる。ここで、第１の主領域部分ＭＡ１は画面のワイプ位置ＷＰより前に対応し、第１の境界領域部分ＢＡ１は画面のワイプ位置ＷＰからＤＴだけ後の第１の位置Ｐ１までに対応している。また、第２の境界領域部分ＢＡ２は画面のワイプ位置ＷＰよりＤＴだけ前の第２の位置Ｐ２からワイプ位置ＷＰまでに対応し、第２の主領域部分ＭＡ２は画面のワイプ位置ＷＰより後に対応している。
【００７５】
セレクタ１０１から出力される合成ビデオ信号（インターレース信号）は、ＩＰ変換回路１０４に供給され、インターレース信号からプログレッシブ信号に変換される。また、ＩＰ変換回路１０４から出力される合成ビデオ信号（プログレッシブ信号）は、高域変換回路１０５に供給され、その高域成分が強調される。図４（ｇ）は、高域補正回路
１０５から出力される合成ビデオ信号により画面上に表示される画像（出力画像Ｃ）を示している。高域補正回路１０５から出力される合成ビデオ信号は、図４（ｇ）に示すように、第１のビデオ信号Ｓａから取り出した第１の主領域部分ＭＡ１および第１の境界領域部分ＢＡ１と、第２のビデオ信号Ｓｂから取り出した第２の境界領域部分ＢＡ２および第２の主領域部分ＭＡ２を合成したものとなっている。
【００７６】
高域補正回路１０５から出力される合成ビデオ信号はセレクタ１０６に供給される。また、このセレクタ１０６には、高域補正回路１０５から出力される合成ビデオ信号が遅延回路１０７で２×ＤＴだけ遅延されて供給される。図４（ｈ）は２×ＤＴだけ遅延された合成ビデオ信号により画面上に表示される画像（出力画像Ｃｄ）を示している。
【００７７】
また、ワイプ切り替え制御信号ＷＳ２が遅延時間ＤＴを持つ遅延回路１０８に供給され、この遅延回路１０８から出力される切り替え制御信号ＷＳ２ｄがセレクタ１０６に供給される。このワイプ切り替え制御信号ＷＳ２は、図４（ｉ）に示すように、高域補正回路１０５より出力される合成ビデオ信号に対して、第１のビデオ信号Ｓａと第２のビデオ信号Ｓｂの切り替え位置の前では一の状態、例えば「０」となっており、当該切り替え位置の後では他の状態、例えば「１」となっている。
【００７８】
そして、切り替え制御信号ＷＳ２ｄは、図４（ｊ）に示すように、上述のビデオ信号Ｓａ，Ｓｂの切り替え位置よりＤＴだけ後の位置を第２の基準位置とするとき、この第２の基準位置の前では一の状態、例えば「０」となっており、当該第２の基準位置の後では他の状態、例えば「１」となっている。
【００７９】
セレクタ１０６では、切り替え制御信号ＷＳ２ｄが一の状態にあるときは遅延回路１０７から出力される合成ビデオ信号（図４（ｈ）参照）が取り出され、一方切り替え制御信号ＷＳ２ｄが他の状態にあるときは高域補正回路１０５から出力される合成ビデオ信号（図４（ｇ）参照）が取り出され、出力ビデオ信号が得られる。図４（ｋ）は、セレクタ１０６から出力される出力ビデオ信号により画面上に表示される画像（出力画像Ｄ）を示している。
【００８０】
セレクタ１０６から出力される出力ビデオ信号は、図４（ｋ）に示すように、高域補正回路１０５より出力される合成ビデオ信号（図４（ｇ）参照）から、第１の境界領域部分ＢＡ１および第２の境界領域部ＢＡ２を除去したもの、言い換えると、高域補正回路１０５より出力される合成ビデオ信号から、第１の主領域部分ＭＡ１および第２の主領域部分ＭＡ２を取り出したものとなる。
【００８１】
セレクタ１０６から出力される出力ビデオ信号は、ＬＣＤ１０９に供給される。図４（ｋ）に示す出力画像Ｄは、ＬＣＤ２０４の画面に表示される画像でもある。すなわち、ＬＣＤ１０９の画面には、ワイプ位置ＷＰより前には第１のビデオ信号Ｓａによる画像が表示され、ワイプ位置ＷＰより後には第２のビデオ信号Ｓｂによる画像が表示される。ワイプ位置ＷＰを左側から右側に移動させていくと、つまり、ワイプ切り替え制御信号ＷＳ１，ＷＳ２の「０」から「１」への変化位置を遅らせていくと、第１のビデオ信号Ｓａによる画像の表示領域は大きくなっていくが、第２のビデオ信号Ｓｂによる画像の表示領域は小さくなっていく。
【００８２】
上述したように、図１に示す画像表示装置１００においては、セレクタ１０１で、第１、第２のビデオ信号Ｓａ，Ｓｂから実際の画像表示に寄与する第１、第２の主領域部分ＭＡ１，ＭＡ２と共に、隣接する第１、第２の境界領域部分ＢＡ１，ＢＡ２が取り出されて合成ビデオ信号が生成される。ＩＰ変換回路１０４および高域補正回路１０５では、セレクタ１０１で生成された合成ビデオ信号に対して処理が行われる。そして、セレクタ１０６で、処理後の合成ビデオ信号から、第１、第２の境界領域部分ＢＡ１，ＢＡ２が除去され、第１、第２の主領域部分ＭＡ１，ＭＡ２からなる出力ビデオ信号が得られる。
【００８３】
したがって、セレクタ１０６で得られる出力ビデオ信号による画像は、第１、第２のビデオ信Ｓａ，Ｓｂによる画像の切り替え位置に隙間は生じない。また、当該切り替え位置の画像は一画面での表示と同一となる。これにより、例えば、ワイプ動作では、画像の切り替え位置（ワイプ位置ＷＰ）で正確な画像が表示され、２つの画像の正確な比較を行うことが可能となる。
【００８４】
ここで、従来の画像表示装置２００におけるＩＰ変換回路による問題点（図２０、図２１参照）、高域補正回路による問題点（図２２参照）が、図１に示す画像表示装置１００では解決されていることを説明する。
【００８５】
ＡＡ．「ＩＰ変換回路による問題点の解決」
【００８６】
（１）斜め補間による問題点の解決について、図５を用いて説明する。
【００８７】
図５（ａ）は、第１のビデオ信号Ｓａ（インターレース信号）による合成前の左側画像、およびそのワイプ位置ＷＰの部分（破線で囲まれた範囲）を拡大して示したものである。この左側画像には、ワイプ位置ＷＰの前に対応した第１の主領域部分ＭＡ１が存在し、ワイプ位置ＷＰから第１の位置Ｐ１までに対応した第１の境界領域部分ＢＡ１が存在する。
【００８８】
また、図５（ｂ）は、第２のビデオ信号Ｓｂ（インターレース信号）による合成前の右側画像、およびそのワイプ位置ＷＰの部分（破線で囲まれた範囲）を拡大して示したものである。この右側画像には、第２の位置Ｐ２からワイプ位置ＷＰまでに対応した第２の境界領域部分ＢＡ２が存在し、ワイプ位置ＷＰの後に対応した第２の主領域部分ＭＡ２が存在する。
【００８９】
なお、左側画像は斜め線が描画された画像であり、右側画像はフラットな画像である。ワイプ位置ＷＰは、画面の水平方向の中心にあるものとする。拡大図で示される各画素の状態は、当該各画素の信号（インターレース信号）に対応している。これは、以下の対応する図においても同様である。
【００９０】
図５（ｃ）は、セレクタ１０１から出力される合成ビデオ信号（インターレース信号）による合成画像、およびそのワイプ位置ＷＰの部分（破線で囲まれた範囲）を拡大して示したものである。この合成画像は、第１の主領域部分ＭＡ１、第１の境界領域部分ＢＡ１、第２の境界領域部分ＢＡ２および第２の主領域部分ＭＡ２により構成されている。すなわち、この合成画像は、図５（ａ）に示す左側画像からは第１の位置Ｐ１より前の部分が取り出され、図５（ｂ）に示す右側画像からは第２の位置Ｐ２より後の部分が取り出されたものとなる。
【００９１】
図５（ｃ）に示す合成画像（合成ビデオ信号）に対して、斜め補間が行われる場合を考える。斜め補間の場合、上述したように、斜め方向の相関性を判定し、ある角度の斜め方向に相関があると判定した場合、その斜め方向にある上下の画素の信号を平均して補間画素の信号を生成するものである。図５（ｄ）は、ＩＰ変換後の画像（インターレース信号からプログレッシブ信号に変換した後の画像）を示している。この場合、斜め線がワイプ位置ＷＰで切断されていないので、当該ワイプ位置ＷＰにおいて斜め補間によりスムーズな補間が行われている。
【００９２】
図５（ｅ）は、セレクタ１０６から出力される合成ビデオ信号（プログレッシブ信号）による合成画像、つまり、第１の境界領域部分ＢＡ１および第２の境界領域部分ＢＡ２が除去された後の画像、およびそのワイプ位置ＷＰの部分（破線で囲まれた範囲）を拡大して示したものである。上述したように、ＩＰ変換処理はワイプ位置ＷＰで画像が切断されていない状態で行われ、ワイプ位置ＷＰにおいて斜め補間によりスムーズな補間が行われることから、図５（ｅ）に示すように、境界領域部分ＢＡ１，ＢＡ２を除去した後の画像では、画像の切り替え位置（ワイプ位置ＷＰ）で、一画面表示の場合と同じ画像が得られる。
【００９３】
（２）動き判定による問題点の解決について説明する。最初に、図６を用いて、動画用の補間信号が斜め補間により生成される場合について示す。
【００９４】
図６（ａ）は、第１のビデオ信号Ｓａ（インターレース信号）のワイプ位置ＷＰの部分を拡大して示したものである。この左側画像には、ワイプ位置ＷＰの前に対応した第１の主領域部分ＭＡ１が存在し、ワイプ位置ＷＰから第１の位置Ｐ１までに対応した第１の境界領域部分ＢＡ１が存在する。この左側画像は、斜め線が描画された画像であり、動画判定が行われるものとする。
【００９５】
また、図６（ｂ）は、第２のビデオ信号Ｓｂ（インターレース信号）による合成前の右側画像のワイプ位置ＷＰの部分を拡大して示したものである。この右側画像には、第２の位置Ｐ２からワイプ位置ＷＰまでに対応した第２の境界領域部分ＢＡ２が存在し、ワイプ位置ＷＰの後に対応した第２の主領域部分ＭＡ２が存在する。この右側画像は、斜め線が描画された画像であり、静止画判定が行われるものとする。
【００９６】
図６（ｃ）は、セレクタ１０１から出力される合成ビデオ信号（インターレース信号）による合成画像のワイプ位置ＷＰの部分を拡大して示したものである。この合成画像は、第１の主領域部分ＭＡ１、第１の境界領域部分ＢＡ１、第２の境界領域部分ＢＡ２および第２の主領域部分ＭＡ２により構成されている。すなわち、この合成画像は、図６（ａ）に示す左側画像からは第１の位置Ｐ１より前の部分が取り出され、図６（ｂ）に示す右側画像からは第２の位置Ｐ２より後の部分が取り出されたものとなる。
【００９７】
通常、動き判定を行う際には、視覚的に安定した補間結果を得ることを目的とし、対象画素の動き判定結果が、その画素の周辺の動き判定結果と異なる場合には、その周辺の画素の判定結果の情報を含めて動き判定が行われる。そのため、図６（ｃ）に示す合成画像の場合、第１の主領域部分ＭＡ１および第１の境界領域部分ＢＡ１では動画、第２の境界領域部分ＢＡ２および第２の主領域部分ＭＡ２では静止画の状態で動き判定が行われ、動き判定結果では、図６（ｃ）に動画判定領域をハッチングして示すように、位置Ｐ１（Ｐ２）を跨いで静止画部分の一部領域まで動画となる。そのため、ＩＰ変換回路１０４の補間信号生成回路２２１が斜め補間により補間信号を生成する場合、ＩＰ変換後の画像は、図６（ｄ）に示すようになる。
【００９８】
図６（ｅ）は、セレクタ１０６から出力される合成ビデオ信号（プログレッシブ信号）による合成画像、つまり、境界領域部分ＢＡ１，ＢＡ２が除去された後の画像のワイプ位置ＷＰの部分（破線で囲まれた範囲）を拡大して示したものである。この合成画像は、上述したようにＩＰ変換処理がワイプ位置ＷＰで画像が切断されていない状態で行われることから、図６（ｆ）に示す期待される結果と同じものとなり、画像の切り替え位置（ワイプ位置ＷＰ）で、一画面表示の場合と同じ画像が得られる。
【００９９】
次に、図７を用いて、動画用の補間信号が垂直補間により生成される場合について示す。図７（ａ）〜（ｃ）は、図６（ａ）〜（ｃ）と同じものである。図７（ｄ）は、ＩＰ変換回路１０４の補間信号生成回路２２１が垂直補間により補間信号を生成した場合における、ＩＰ変換後の画像を示している。
【０１００】
図７（ｅ）は、セレクタ１０６から出力される合成ビデオ信号（プログレッシブ信号）による合成画像、つまり、境界領域部分ＢＡ１，ＢＡ２が除去された後の画像のワイプ位置ＷＰの部分（破線で囲まれた範囲）を拡大して示したものである。この合成画像は、上述したようにＩＰ変換処理がワイプ位置ＷＰで画像が切断されていない状態で行われることから、図７（ｆ）に示す期待される結果と同じものとなり、画像の切り替え位置（ワイプ位置ＷＰ）で、一画面表示の場合と同じ画像が得られる。
【０１０１】
ＢＢ．「高域補正回路による問題点の解決」
【０１０２】
高域補正回路１０５では、上述したように、ＩＰ変換回路１０４から出力される合成ビデオ信号（プログレッシブ信号）の高域成分が強調される。図８（ａ）は、高域補正回路１０５から出力される合成ビデオ信号におけるラインＮの波形例を示している。このようにラインＮの波形は、位置Ｐ１（Ｐ２）で急激に変化するために、図示のように、当該位置Ｐ１（Ｐ２）に対応してリンギングが発生する。図８（ｂ）は、セレクタ１０６から出力される、境界領域部分ＢＡ１，ＢＡ２が除去された後の合成ビデオ信号におけるラインＮの波形例を示している。上述したように高域補正がワイプ位置ＷＰで画像が切断されていない状態で行われることから、高域補正によりワイプ位置ＷＰにリンギングが発生するということはなく、画像の切り替え位置（ワイプ位置ＷＰ）で、一画面表示の場合と同じ画像が得られる。
【０１０３】
なお、上述した画像表示装置１００において、ＬＣＤ１０９に供給されるビデオ信号の処理をハードウェアで行うものを示したが、同様の処理をソフトウェアで行うこともできる。図９は、ソフトウェアで処理を行うコンピュータ装置１００Ａの構成例を示している。このコンピュータ装置１００Ａは、ＣＰＵ(Central Processing Unit)１８１、ＲＯＭ(Read OnlyMemory)１８２、ＲＡＭ(Random Access Memory)１８３、データ入出力部（データＩ／Ｏ）１８４、画像メモリ１８５、入出力インタフェース（入出力Ｉ／Ｆ）１８６、キーボード１８７およびディスプレイ１８８により構成されている。
【０１０４】
ＲＯＭ１８２には、ＣＰＵ１８１の処理プログラム等が格納されている。ＲＡＭ１８３は、ＣＰＵ１８１のワークエリアとして機能する。ＣＰＵ１８１は、ＲＯＭ１８２に格納されている処理プログラムを必要に応じて読み出し、読み出した処理プログラムをＲＡＭ１８３に転送して展開し、当該展開された処理プログラムを読み出して、ビデオ信号の処理を実行する。
【０１０５】
このコンピュータ装置１００Ａにおいては、第１のビデオ信号Ｓａおよび第２のビデオ信号Ｓｂは、データＩ／Ｏ１８４を介して入力され、画像メモリ１８５に蓄積される。この画像メモリ１８５に蓄積されたビデオ信号Ｓａ，Ｓｂの出力信号に対して、ＣＰＵ１８１により、ワイプ動作を行うための合成ビデオ信号（図１のセレクタ１０６の出力）を得る処理が行われる。そして、処理後の信号は、画像メモリ１８５からデータＩ／Ｏ１８４を介して外部に出力される。なお、処理後の信号によりディスプレイ１８８に画像を表示するようにしてもよい。
【０１０６】
図１０のフローチャートは、ＣＰＵ１８１におけるビデオ信号処理の処理手順を示している。なお、このフローチャートは、１フィールド分のビデオ信号の処理に対応しており、当該処理が各フィールドのビデオ信号に対して順次行われることになる。
【０１０７】
ＣＰＵ１８１は、まず、ステップＳＴ１において、処理を開始し、その後に、ステップＳＴ２に移る。このステップＳＴ２において、ＣＰＵ１８１は、データＩ／Ｏ１８４を介して、第１、第２のビデオ信号Ｓａ，Ｓｂを１フィールド分入力して画像メモリ１８５に格納する。
【０１０８】
次に、ＣＰＵ１８１は、ステップＳＴ３において、ワイプ位置ＷＰ、第１の位置Ｐ１および第２の位置Ｐ２に応じて、第１の画像信号Ｓａから第１の主領域部分ＭＡ１および第１の境界領域部分ＢＡ１を取り出すと共に、第２の画像信号Ｓａから第２の主領域部分ＭＡ２および第２の境界領域部分ＢＡ２を取り出し、合成ビデオ信号を生成する。この合成ビデオ信号は、図１の画像表示装置１００におけるセレクタ１０１の出力に相当するものである。
【０１０９】
次に、ＣＰＵ１８１は、ステップＳＴ４において、ステップＳＴ３で生成された合成ビデオ信号に対して、ＩＰ変換処理および高域補正処理を施す。ＩＰ変換処理は、図１の画像表示装置１００におけるＩＰ変換回路１０４の処理に相当する。また、高域補正処理は、図１の画像表示装置１００における高域補正回路１０５の処理に相当する。
【０１１０】
次に、ＣＰＵ１８１は、ステップＳＴ５において、ステップＳＴ４で処理された合成ビデオ信号から第１、第２の境界領域部分ＢＡ１，ＢＡ２を除去して、出力ビデオ信号を生成する。この出力ビデオ信号は、図１の画像表示装置１００におけるセレクタ１０６の出力に相当するものである。
【０１１１】
そして、ＣＰＵ１８１は、ステップＳＴ６において、ステップＳＴ５で生成された出力ビデオ信号をデータＩ／Ｏ１８４を介して外部に出力し、その後に、ステップＳＴ７で、処理を終了する。
【０１１２】
このように、コンピュータ装置１００Ａで処理するものにあっても、上述の図１に示す画像表示装置１００と同様の効果を得ることができる。
【０１１３】
なお、上述実施の形態においては、水平方向にワイプ動作を行うものを示したが、この発明は、垂直方向にワイプ動作を行うものにも同様に適用できる。また、上述実施の形態においては、合成ビデオ信号に対する画像処理としてＩＰ変換処理、高域補正処理を示しているが、例えばスケーリング処理などのその他の処理であって、画像の切り替え位置における処理結果が切り替えを行わない場合の処理結果とは異なる状態となるような処理が行われる場合にも、この発明を同様に適用できる。
【産業上の利用可能性】
【０１１４】
この発明は、画像の切り替え位置に隙間ができず、しかも当該切り替え位置の画像が一画面での表示と同一となるようにしたものであり、ディスプレイ画面にワイプ画像を表示する画像表示装置に適用できる。
【図面の簡単な説明】
【０１１５】
【図１】実施の形態としての画像表示装置の構成例を示すブロック図である。
【図２】画像表示装置におけるビデオ信号合成部の処理手順を説明するための図である。
【図３】画像表示装置におけるビデオ信号出力部の処理手順を説明するための図である。
【図４】画像表示装置のワイプ動作を説明するための図である。
【図５】斜め補間による問題点の解決を説明するための図である。
【図６】動き判定による問題点の解決を説明するための図である。
【図７】動き判定による問題点の解決を説明するための図である。
【図８】高域補正回路による問題点の解決を説明するための図である。
【図９】ワイプ動作のためのビデオ信号処理をソフトウェアで行うコンピュータ装置の構成例を示すブロック図である。
【図１０】ＣＰＵによるビデオ信号処理の処理手順を示すフローチャートである。
【図１１】ワイプ動作の一例を示す図である。
【図１２】従来のワイプ機能を持つ画像表示装置の構成例を示すブロック図である。
【図１３】ＩＰ変換回路の構成例を示すブロック図である。
【図１４】インターレース信号と、斜め補間によるプログレッシブ信号および垂直補間によるプログレッシブ信号の一例を示す図である。
【図１５】動き判定回路における動き判定（動画判定の場合）と、その場合に生成されるプログレッシブ信号の一例を示す図である。
【図１６】動き判定回路における動き判定（静止画判定の場合）と、その場合に生成されるプログレッシブ信号の一例を示す図である。
【図１７】高域補正回路の構成例を示すブロック図である。
【図１８】高域補正用ハイパスフィルタの周波数特性の一例を示す図である。
【図１９】従来の画像表示装置のワイプ動作を説明するための図である。
【図２０】従来の画像表示装置における斜め補間による問題点を説明するための図である。
【図２１】従来の画像表示装置における動き判定による問題点を説明するための図である。
【図２２】従来の画像表示装置における高域補正回路による問題点を説明するための図である。
【符号の説明】
【０１１６】
１００・・・画像表示装置、１００Ａ・・・コンピュータ装置、１０１，１０６・・・セレクタ、１０２，１０３，１０７，１０８・・・遅延回路、１０４・・・ＩＰ変換回路、１０５・・・高域補正回路、１０９・・・ＬＣＤ
【図１】
2008259083.tif 000003
【図２】
2008259083.tif 000004
【図３】
2008259083.tif 000005
【図８】
2008259083.tif 000006
【図９】
2008259083.tif 000007
【図１０】
2008259083.tif 000008
【図１２】
2008259083.tif 000009
【図１３】
2008259083.tif 000010
【図１７】
2008259083.tif 000011
【図１８】
2008259083.tif 000012
【図２２】
2008259083.tif 000013
【図４】
2008259083.tif 000014
【図５】
2008259083.tif 000015
【図６】
2008259083.tif 000016
【図７】
2008259083.tif 000017
【図１１】
2008259083.tif 000018
【図１４】
2008259083.tif 000019
【図１５】
2008259083.tif 000020
【図１６】
2008259083.tif 000021
【図１９】
2008259083.tif 000022
【図２０】
2008259083.tif 000023
【図２１】
2008259083.tif 000024
【手続補正書】
【提出日】平成20年5月15日(2008.5.15)
【手続補正１】
【補正対象書類名】明細書
【補正対象項目名】０１０８
【補正方法】変更
【補正の内容】
【０１０８】
次に、ＣＰＵ１８１は、ステップＳＴ３において、ワイプ位置ＷＰ、第１の位置Ｐ１および第２の位置Ｐ２に応じて、第１のビデオ信号Ｓａから第１の主領域部分ＭＡ１および第１の境界領域部分ＢＡ１を取り出すと共に、第２のビデオ信号Ｓｂから第２の主領域部分ＭＡ２および第２の境界領域部分ＢＡ２を取り出し、合成ビデオ信号を生成する。この合成ビデオ信号は、図１の画像表示装置１００におけるセレクタ１０１の出力に相当するものである。
【手続補正２】
【補正対象書類名】図面
【補正対象項目名】図５
【補正方法】変更
【補正の内容】
【図５】
2008259083.tif 000025